(57)【要約】【課題】任意の深度と任意の角度の断層画像が得られるため、診断に不要な断層面が多数存在して、医師や技師が見たい断層画像が容易に見つからないという問題が存在する。【解決手段】Ｘ線発生手段とＸ線検出手段を用い撮影角度を変化させながら連続的に撮影を行い、所望の断層を得るＸ線画像処理装置において、全角度の撮影が終了した直後に、診断の対象となる臓器、器官、組織、構造の形状により断層画像を表示する手段をもつことで、操作者が診断に必要ない断層をみることがなくなり、診断効率が向上する。【選択図】        図１
2004357882.tif 000002
【特許請求の範囲】
【請求項１】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、診断の対象となる臓器、器官、組織、構造の形状によって断層画像を表示することを特徴とするＸ線画像処理装置。
【請求項２】
請求項１のＸ線画像処理装置において、
全角度の撮影が終了した直後に、診断の対象となる臓器、器官、組織、構造が現われる最も深度の深い断層画像を表示することを特徴とするＸ線画像処理装置。
【請求項３】
請求項１のＸ線画像処理装置において、
全角度の撮影が終了した直後に、診断の対象となる臓器、器官、組織、構造が現われる最も深度の浅い断層画像を表示することを特徴とするＸ線画像処理装置。
【請求項４】
請求項１のＸ線画像処理装置において、
全角度の撮影が終了した直後に、診断の対象となる臓器、器官、組織、構造の面積が最大となる断層画像を表示することを特徴とするＸ線画像処理装置。
【請求項５】
請求項１のＸ線画像処理装置において、
全角度の撮影が終了した直後に、診断の対象となる臓器、器官、組織、構造の厚さの中間の断層画像を表示することを特徴とするＸ線画像処理装置。
【請求項６】
請求項１のＸ線画像処理装置において、
全角度の撮影が終了した直後に、診断の対象となる臓器、器官、組織、構造において統計的に最も病変が発生しやすい断層深度の断層画像を表示することを特徴とするＸ線画像処理装置。
【請求項７】
請求項１〜６のＸ線画像処理装置において、
患者情報と部位情報を入力する手段と、該部位の統計的な生態的位置情報を保持する手段を持ち、該入力した患者情報と部位情報により、統計的な生態的位置情報から断層深度を求める手段を持つことを特徴とするＸ線画像処理装置。
【請求項８】
請求項７のＸ線画像処理装置において、
患者情報とは、性別、年齢、体厚であることを特徴とする。
【請求項９】
請求項１〜５のＸ線画像処理装置において、
撮影方法、部位情報を入力する手段と、入力した撮影方法により定まる断層角度における複数の断層画像から部位を抽出する手段と、抽出画像により診断する臓器・器官・組織・構造の厚さと深度を求める手段
を持つことを特徴とするＸ線画像処理装置。
【請求項１０】
請求項１のＸ線画像処理装置において、
撮影方法、部位情報を入力する手段と、入力した撮影方法により定まる断層角度における複数の断層画像から診断する臓器・器官・組織・構造と診断する臓器・器官・組織・構造内の病変を抽出する手段と、抽出画像により診断する臓器、器官、組織、構造の厚さと深度を求める手段を持ち、全角度の撮影が終了した直後に、上記断層深度と上記断層角度の断層画像を表示することを特徴とするＸ線画像処理装置。
【請求項１１】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、過去に診断、保存された診断の対象となる臓器、器官、組織、構造の同一患者の断層面の断層深度、断層角度の断層画像を表示することを特徴とするＸ線画像処理装置。
【請求項１２】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
撮影方法毎に断層深度と断層角度をプリセットする手段を持ち、全角度の撮影が終了した直後に、撮影方法毎にプリセットされた断層深度、断層角度における断層画像を表示する事を特徴とするＸ線画像処理装置。
【請求項１３】
工程
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、診断の対象となる臓器、器官、組織、構造の形状より断層画像を表示する工程をもつことを特徴とするＸ線画像処理装置。
【請求項１４】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、過去に保存された診断の対象となる臓器、器官、組織、構造の同一患者の断層面の断層深度、断層角度の断層画像を表示する工程をもつことを特徴とするＸ線画像処理装置。
【請求項１５】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
撮影方法毎に断層深度と断層角度をプリセットする工程を持ち、
全角度の撮影が終了した直後に、撮影方法毎にプリセットされた断層深度、断層角度における断層画像を表示する工程を持つ事を特徴とするＸ線画像処理装置。
【請求項１６】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、診断の対象となる臓器、器官、組織、構造の形状より断層深度の断層画像を表示するコードを保持したことを特徴とする記録媒体。
【請求項１７】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
全角度の撮影が終了した直後に、過去に保存された診断の対象となる臓器、器官、組織、構造の同一患者の断層面の断層深度、断層角度の断層画像を表示するコードを保持したことを特徴とする記録媒体。
【請求項１８】
Ｘ線発生手段及びＸ線検出手段を用い撮影角度を変化させながら連続的に撮影された各撮影画像を記憶する記憶手段と、該記憶された複数の画像より指定された断層位置の断層像を形成する断層像形成手段と、該形成し画像を表示する表示手段を持つＸ線画像処理装置において、
撮影方法毎に断層深度と断層角度をプリセットするコードを持ち、全角度の撮影が終了した直後に、撮影方法毎にプリセットされた断層深度、断層角度における断層画像を表示するコードを保持したことを特徴とする記録媒体。
【発明の詳細な説明】
【０００１】
【発明の属する技術分野】
本発明は、被験者のＸ線透過画像を取得する画像取得装置に関する。
【０００２】
【従来の技術】
単純撮影では立体構成をなす被写体を、平面に投影した画像としてモニターやフィルム表示されるため、その画像には、体内の諸組織・器官の重複像が載っている。このため目的とする病巣や臓器が他の陰影と重畳して、その実態をつかむことが困難な場合がある。生体の任意の深さの一平面のみの撮影が可能であれば、目的部を他の不要な陰影と重複することなく分離して観察できるから、診断上非常に有利である。
【０００３】
このような要望があり、従来より断層撮影が行われている。Ｘ線管球とＸ線フィルムとを被写体内の１点を中心にしてお互いに反対方向に移動しながら多重露出することにより、上記フィルム上に上記の点付近の深さの断層像を撮影する断層撮影方が確立している。
【０００４】
また、Ｘ線フィルムの代わりにＸ線イメージインテンシファイアとＸ線ＴＶカメラとを用い、Ｘ線透過像のビデオ信号を得て、このビデオ信号をディジタル化して、上記の多重露出をディジタル処理にて行い、任意の深さの断層面での断層像を再構築する方法が、ディジタル断層撮影法として知られている（断層映像研究会雑誌  第１５巻第２号  Ｐ４８―６３  昭和６３年９月１日）。また、特開平４―１０９９３５のように、ディジタル的な画像データを収集した後のデータ処理で任意の角度の断層面での断層像を容易に得る方法が提案されている。
【０００５】
【発明が解決しようとする課題】
しかしながら、ディジタル断層撮影では、上述したように、任意の深度と任意の角度の断層画像が得られるため、診断に不要な断層面が多数存在して、医師や技師が見たい断層画像が容易に見つからないという問題が存在していた。
【０００６】
【課題を解決するための手段】
上記目的を達成するため、本出願に関わる第１の発明は、全角度の撮影が終了した直後に、診断の対象となる臓器、器官、組織、構造の形状によって断層画像を表示することを特徴とする。
【０００７】
第２の発明は、第１の発明のＸ線画像処理装置において、全角度の撮影が終了した直後に、診断の対象となる臓器、器官、組織、構造が現われる最も深度の深い断層画像を表示することを特徴とするＸ線画像処理装置。
【０００８】
第３の発明は、第１の発明のＸ線画像処理装置において、全角度の撮影が終了した直後に、診断の対象となる臓器、器官、組織、構造が現われる最も深度の浅い断層画像を表示することを特徴とする。
【０００９】
第４の発明は、第１の発明のＸ線画像処理装置において、全角度の撮影が終了した直後に、診断の対象となる臓器、器官、組織、構造の面積が最大となる断層画像を表示することを特徴とする。
【００１０】
第５の発明は、第１の発明のＸ線画像処理装置において、全角度の撮影が終了した直後に、診断の対象となる臓器、器官、組織、構造の厚さの中間の断層画像を表示することを特徴とする。
【００１１】
第６の発明は、第１の発明のＸ線画像処理装置において、全角度の撮影が終了した直後に、診断の対象となる臓器、器官、組織、構造において統計的に最も病変が発生しやすい断層深度の断層画像を表示することを特徴とする。
【００１２】
第７の発明は、第１の発明〜第６の発明のＸ線画像処理装置において、患者情報と部位情報を入力する手段と、該部位の統計的な生態的位置情報を保持する手段を持ち、該入力した患者情報と部位情報により、統計的な生態的位置情報から断層深度を求める手段を持つことを特徴とする。
【００１３】
第８の発明は、第７の発明のＸ線画像処理装置において、患者情報とは、性別、年齢、体厚であることを特徴とする。
【００１４】
第９の発明は、第１の発明〜第５の発明のＸ線画像処理装置において、撮影方法、部位情報を入力する手段と、入力した撮影方法により定まる断層角度における複数の断層画像から部位を抽出する手段と、抽出画像により診断する臓器・器官・組織・構造の厚さと深度を求める手段を持つことを特徴とする。
【００１５】
第１０の発明は、第１の発明のＸ線画像処理装置において、撮影方法、部位情報を入力する手段と、入力した撮影方法により定まる断層角度における複数の断層画像から診断する臓器・器官・組織・構造と診断する臓器・器官・組織・構造内の病変を抽出する手段と、抽出画像により診断する臓器、器官、組織、構造の厚さと深度を求める手段を持ち、全角度の撮影が終了した直後に、上記断層深度と上記断層角度の断層画像を表示することを特徴とする。
【００１６】
第１１の発明は、全角度の撮影が終了した直後に、過去に診断、保存された診断の対象となる臓器、器官、組織、構造の同一患者の断層面の断層深度、断層角度の断層画像を表示することを特徴とする。
【００１７】
第１２の発明は、撮影方法毎に断層深度と断層角度をプリセットする手段を持ち、全角度の撮影が終了した直後に、撮影方法毎にプリセットされた断層深度、断層角度における断層画像を表示する事を特徴とする。
【００１８】
第１３の発明は、全角度の撮影が終了した直後に、診断の対象となる臓器、器官、組織、構造の形状より断層画像を表示する工程をもつことを特徴とする。
【００１９】
第１４の発明は、全角度の撮影が終了した直後に、過去に保存された診断の対象となる臓器、器官、組織、構造の同一患者の断層面の断層深度、断層角度の断層画像を表示する工程をもつことを特徴とする。
【００２０】
第１５の発明は、撮影方法毎に断層深度と断層角度をプリセットする工程を持ち、全角度の撮影が終了した直後に、撮影方法毎にプリセットされた断層深度、断層角度における断層画像を表示する工程を持つ事を特徴とする。
【００２１】
第１６の発明は、全角度の撮影が終了した直後に、診断の対象となる臓器、器官、組織、構造の形状より断層深度の断層画像を表示するコードを保持したことを特徴とする記録媒体であることを特徴とする。
【００２２】
第１７の発明は、全角度の撮影が終了した直後に、過去に保存された診断の対象となる臓器、器官、組織、構造の同一患者の断層面の断層深度、断層角度の断層画像を表示するコードを保持したことを特徴とする記録媒体であることを特徴とする。
【００２３】
第１８の発明は、撮影方法毎に断層深度と断層角度をプリセットするコードを持ち、全角度の撮影が終了した直後に、撮影方法毎にプリセットされた断層深度、断層角度における断層画像を表示するコードを保持したことを特徴とする記録媒体であることを特徴とする。
【００２４】
【発明の実施の形態】
（第１の実施の形態）
本発明は、例えば、図１に示すようなＸ線画像撮影装置１００に適用される。このＸ線画像撮影装置１００は、Ｘ線を発生するＸ線管球１２１、図示していないＸ線管球１２１を制御するＸ線制御ユニット、Ｘ線管球１２１から放射されるＸ線を検出するセンサ１２６、センサ１２６より得られたディジタル画像信号を読み取り、所定の画像処理を行って画像表示を行うＸ線画像処理ユニット１３０とを備えている。
【００２５】
センサ１２６は、被験者１０を挟んでＸ線管球１２１と対向する形で取り付けられている。管球１２１が、Ｏを回転中心として、被験者１０との距離を一定にＡ方向に円運動をすると、それに同期して、センサ１２６は、Ｏを回転中心としてＢ方向に円運動するため、管球１２１から照射されるＸ線は、センサ１２６に対して垂直に入射される。
【００２６】
センサ１２６は、Ｘ線管球１２１より照射され、被験者１０を透過したＸ線を検出して、ディジタル画像を得る。センサ１２６は、図示していないグリッド、シンチレーター、固体撮像素子、固体撮像素子の出力をディジタル画像信号として出力するためのＡ／Ｄ変換器から構成されていて、Ｘ線管球１２１よりセンサ１２６に入射されたＸ線は、まず被験者１０の体内で発生した散乱Ｘ線がグリッドで除去され、グリッドを透過したＸ線がシンチレーターで光に変換され、固体撮像素子で光の強さに応じた電気信号が発生して、Ａ／Ｄ変換器を通すことによって、ディジタルＸ線画像が得られる。管球１２１とセンサ１２６が夫々、Ａ、Ｂ方向に運動しながら、被験者に対する角度を変えて複数撮影を行い、得られたディジタル画像を再構成すれば、任意の深度、任意の角度の断層面が得られる。
【００２７】
Ｘ線画像処理ユニット１３０は、画像取り込み制御手段１３１、画像処理手段１３２、画像保持部１３３、断層指定データベース部１３４、画像再構成手段１３５、断層画像表示段１３６、Ｘ線画像撮影装置操作・入力・表示手段１５０で構成されている。Ｘ線画像撮影装置操作・入力・表示手段１５０はタッチシートが前面に貼られているため、断層画像を表示するのみでなく、プログラムで作成されたＧＵＩのボタンの押下も検知できるようになっている。
【００２８】
図２は、成人男性の右側面の図である。腹式深吸気の状態の背面からの距離を示している。図に示すように、胸厚１８ｃｍ、肺領域が３ｃｍ〜１６ｃｍ、後胸壁の厚さが３ｃｍとなっている。肺内部の病変は、後胸壁にはないので、０ｃｍ〜３ｃｍの断層面の表示は、無駄になる。従ってこの場合、最初に表示する断層面は、３ｃｍであり、順次前胸側に近づけていくのが効率的だといえる。逆に、前胸側の１６ｃｍから後胸側に近づけていくのもよいが、統計的に後胸側の発生率が多いので、後胸壁側から始める方がよい。この後胸壁の厚さは統計的に、性別、年齢別、体厚により大体決まる。
【００２９】
図３は、後胸壁の厚さのデータベースの一例である。説明のため、男性の例を示している。年齢と体厚により後胸壁の厚さが決まってくるので、肺の断層における、最初に表示する断層面がこれにより決まってくる。断層面指定データベース１３４に保持されるテーブルの一つの例である。
【００３０】
図４は、Ｘ線管球１２１をＡ方向に運動させながら、所定の全ての角度に関する撮影を行った後に、Ｘ線画像撮影装置操作・入力・表示手段１５０に最初に表示する画面を示している。表示する断層画像は、この場合、男性、２７歳、体厚１８ｃｍが入力データとなるため、後胸壁の厚さが３ｃｍとなり、断層深度３ｃｍ、断層角度０°の断層面を表示している。断層深度変更ボタン１５１で断層深度を変更し、断層角度変更ボタン１５２で断層角度を変更する。夫々の刻み量は、別画面でカスタマイズできる。また撮影方向は、断層角度の応じて表示が変わり、この場合患者の正面前から後ろに照射されるため、ＡＰと表示される。初期状態ボタンを押下すると、最初の断層面（断層深度３ｃｍ、断層角度０°）が表示される。尚、断層深度は、背面を０として前胸部に向かうにつれて値が増えるものとする。
【００３１】
図５は、断層角度の概念を示した図である。患者の頭側から見た場合、被験者の右側からみた断層面の断層角度は、正となり、ＬＡＯという記号で表される。逆に、左側のからみた断層面の断層角度は負となり、ＲＡＯという記号で示される。
【００３２】
以上、図１〜図５を用いて、時指令１の説明を行う。
【００３３】
操作者である放射線技師や医師は、被検者の氏名、ＩＤ番号、生年月日、性別などの患者情報と撮影依頼が書かれた照射録カードをみて、患者を呼んで、管球１２１とセンサ１２６の間に配置されているテーブルに寝かせて、テーブルを前後左右に移動させることにより被験者１０が適切な位置になるように調整を行う。
【００３４】
次に、操作者は、Ｘ線画像撮影装置操作・入力・表示部１５０に表示されているＧＵＩで、患者の氏名、ＩＤ番号、生年月日（年齢）、性別、体厚など患者情報と診断する部位情報を設定する。患者情報は、ＧＵＩである患者入力画面から入力するか、最近では、入力業務の効率化や誤入力防止という観点から、図示していない磁気カードやバーコードから入力したり、ネットワークを介して病院内情報システム（ＨＩＳ）や放射線情報システム（ＲＩＳ）から入力する。部位情報は、部位ボタンを押下することで設定する。
【００３５】
また、管電圧、管電流、透視条件を設定し、管球１２１の前面に取り付けられている絞りを調整し、適正な照射領域を設定する。
【００３６】
操作者によるＧＵＩを使った撮影準備が終了すると、図１の画像読み取り制御部１３１は、固体撮像素子駆動制御信号を用いて固体撮像素子に電圧を加えることで、固体撮像素子に対して患者１０の画像入力がいつ行われてもよい状態（Ｘ線管球１２１からのＸ線を画像化できる状態）となるように準備する。
【００３７】
操作者は、センサ１２６の準備が済んでいることを確認した上で、図示していないＸ線撮影ボタンを押す。この撮影ボタンはＸ線管球１２１でＸ線を発生させるトリガとなるものであり、操作者が撮影ボタンを押下すると撮影信号が管球１２１送られ、Ｘ線が照射されて、撮影が行われる。
【００３８】
一方、上述のようなばく射を受けた後、Ｘ線管球１２１からのＸ線は、管球１２１の前方にある絞りで絞られて、患者１０、グリッド、及びシンチレーターを順次透過して、患者１０の透過画像として固体撮像素子に結像される。そして、固体撮像素子での光電変換により、画像信号として出力される。この画像信号は、Ａ／Ｄ変換器にてディジタル化され、ディジタル信号として画像読み取り制御部１３１から取り込まれる。
【００３９】
取り込まれた画像は、画像取り込み制御手段１３１で、先ず、センサを構成する光電変換素子間のばらつきの補正やセンサ素子の経時的変化の補正や散乱線補正、グリッド補正等の画像補正が行われる。補正された画像は、画像処理手段１３２で、濃度変換カーブをデータ化したルックアップテーブルを適用することで、所望の濃度と諧調の画像を得る。画像処理がかけられた画像は、画像保持部１３３に管球１２１の被験者に対する角度情報と共に記録される。
【００４０】
次に、管球１２１がＡの方向に、センサ１２６がＢの方向に動き、例えば管球１２１がＰ１の位置で、図示していないばく射ボタンを押下することで、Ｐ１における角度の撮影画像が得られる。上述の様に、Ｐ１における角度の撮影画像を画像保持部１３３に保存する。同様に、Ｐ２、Ｐ３・・・のように全ての角度の画像を撮影し、画像保持部１３３に保存する。
【００４１】
画像構成手段は１３５は、全ての  撮影が終わった後で、入力された診断部位、患者の性別、年齢、体厚の情報より、断層面指定データベース部１３４より図３のようなテーブルを選択し、今回の場合、診断部位（肺）、性別（男性）、年齢（２７歳）、体厚（１８ｃｍ）より、後胸壁の厚さが３ｃｍとなるので、図４で示されるように、断層深度３ｃｍ、断層角度０°（肺の場合全て０°でデータベースに登録されているとする）の断層図が表示される。操作者は、＋ボタンを押下することで、順次前胸側に近づけて各断層面を診る。なお、初期状態に戻したい場合は、初期状態ボタン１５３を押下する。このように、ユーザは関係の無い断層を診ることなく診断できるので、診断効率が上がるという利点がある。
【００４２】
なお、ここでは、入力情報として、性別、年齢、体厚、出力として後胸壁の厚さという肺のデータベースの例を取り上げたが、入力情報、出力情報を変えて、他の器官や臓器、生態的な構造に対するデータベースを作成して運用しても同様な効果が得られ、本発明の適応範囲内である。
【００４３】
なお、上記の例では、診断部位の最初の断層面を表示するようにしたが、統計的に最も病変が発生しやすい断層を表示してもよい。
【００４４】
（第２の実施の形態）
実施例２について、図６を用いて説明する。図６は、画像再構成手段１３５が、ある断層角度の複数の断層深度の断層画像を作成したところである。このように、断層深度の変化により画像に表れる臓器や器官や構造物の種類が異なる。そこで、各断層面で、臓器、器官、構造物抽出の為の画像処理を行い、その臓器が初めに現われる断層深度を求める。求めた断層深度は、実施例１の後胸壁厚さに相当するものである。
【００４５】
先ず、画像処理で肺の輪郭を抽出する。得られたディジタル画像の高周波成分を強調する鮮鋭化処理を行い輪郭を強調した後に、しきい値法や微分画像の局所の最大値を順次たどっていく方法などを用いて、輪郭を抽出することができる。次に抽出されたオブジェクトが本当に診断を行う臓器や器官や構造物であるかどうか判断する。深度Ａ１において抽出されるオブジェクトは、７つあるが、深度Ａ２では消滅しているので、深度Ａ１におけるオブジェクトの大きさは、Ａ２よりも小さいことになる。平均的な肺の厚さ１０〜１５ｃｍより圧倒的に小さいためこれらのオブジェクトは肺ではない。Ａ２の脊柱はも同様に厚さが足りないため肺でないと判断される。Ａ３では、右肺、左肺、心臓と肋骨の断面が抽出され何れもＡ８まで厚味を持っているが、面積と位置関係により、グレーの領域が肺と判断される。そして、画像再構成手段１３５は、断層面支指示データベース部１３４の値を使う代わりに、肺が初めに現われたＡ３を後胸壁厚さとみなし、Ａ３の断層深度の断層画像を図４のように表示する。
【００４６】
このように、画像処理で初期表示位置をきめるので、統計データから外れる個人差も適切に吸収できる。
【００４７】
（第３の実施の形態）
実施例３について、図７を用いて説明する。図７の図１と同様な記号は同様な物であることを示している。１３７は、過去断層面データベースで、患者毎の出力した断層画像の深度、角度を保持する。１３８は、断層画像出力手段で、ネットワーク５００を介して、プリンター３０１やストレージ３０２に画像を転送する。１３９は、断層位置記憶手段で、操作者が図４のＧＵＩを使って、選択した断層画像の深度と角度を過去断層面データベース１３７に保持する働きをもつ。尚この実施例では、図４に画像転送ボタンがついているものとする。
【００４８】
複数角度で撮影を行い、その撮影画像を画像保持部１３３に保持するところまでは、前出の実施例と同様であるので、説明は割愛する。画像再構成手段１３５は、初めての患者であれば、断層面指定データベース１３４を使い、以前撮影しその時の断層深さと、角度が過去断層面データベース部１３７に保持されているときは、過去断層面データベース部１３７から、表示すべき断層深度と角度を得、Ｘ線画像撮影装置操作・入力・表示部１５０に表示する。
【００４９】
操作者は、操作者が図４のＧＵＩを使って、病変がある断層画像を見つけ診断するとその画像を、プリンター３０１に出力したり、ストレージ３０２に保存する。この時、操作者は、図４の図示されていない出力ボタンを押下して、断層画像出力手段１３８が出力する。それと共に、断層位置記憶手段１３９によりその断層位置が、過去断層面データベース部１３７に保持される。従って、次回のこの患者の断層を行うと過去断層面データベース部１３７に保持されている断層面が先ず表示されて、より診断効率が上がる。
【００５０】
【発明の効果】
以上説明したように、本発明によれば、全角度の撮影が終了した直後に、診断の対象となる臓器、器官、組織、構造の形状により適切な断層深度の断層画像を表示するする手段を持つために、不必要な断層面を診る必要がなく診断効率が上がるという効果がある。
【００５１】
また、過去に診断した断層面の画像を出すことで、過去の病変に注意が向けられ、見落としなどのミスが防げてより診断精度が高まるという効果がある。
【図面の簡単な説明】
【図１】本発明のシステム構成図
【図２】成人男性の断層深度と肺領域の関係
【図３】男性の年代別、胸厚別の後胸壁の厚さのテーブル
【図４】撮影後の画面表示
【図５】断層角度の定義
【図６】実施例２を説明する図
【図７】実施例３のシステム構成図
【符号の説明】
１０  被験者
１００  実施例１のＸ線撮影システム
１０１  実施例３のＸ線撮影システム
１２１  Ｘ線管球
１２６  センサ
１３０  Ｘ線画像処理ユニット
１３１  画像取り込み制御手段
１３２  画像処理手段
１３３  画像保持部
１３４  断層面指定データベース部
１３５  画像再構成手段
１３６  断層画像表示手段
１３７  過去断層面データベース部
１３８  断層画像出力手段
１３９  断層位置記憶手段
１５０  Ｘ線画像撮影装置操作・入力・表示手段
１５１  断層深度変更ボタン
１５２  断層角度変更ボタン
１５３  初期状態ボタン
３０１  プリンター
３０２  ストレージ
５００  ネットワーク
【図１】
2004357882.tif 000003
【図２】
2004357882.tif 000004
【図３】
2004357882.tif 000005
【図４】
2004357882.tif 000006
【図５】
2004357882.tif 000007
【図６】
2004357882.tif 000008
【図７】
2004357882.tif 000009